(57)【要約】【課題】  利用者に違和感を抱かせることなく、かつ装置の設置空間を増加させることなく、落書などの操作を容易に行うことができる写真シール印刷装置を提供すること。【解決手段】  被写体を撮影する撮影手段と、被写体の背面に配置され、被写体に対して背景画像を進退自在に提供する背景機構と、撮影した被写体画像を表示する編集用表示手段と、表示された被写体画像に対する落書画像などの編集画像を入力する入力手段と、該入力手段により入力された編集画像と前記被写体画像とを合成する画像処理手段と、合成された画像を印刷出力する印刷手段とを備えた写真ンシール印刷装置において、前記背景機構で仕切られる一方の空間を撮影室、他方を編集室とし、編集室内に前記編集用表示手段と入力手段とが配置されていることを特徴とする。【選択図】      図２
2005121844.tif 000002
【特許請求の範囲】
【請求項１】
被写体を撮影する撮影手段と、被写体の背面に配置され、被写体に対して背景画像を進退自在に提供する背景機構と、撮影した被写体画像を表示する編集用表示手段と、表示された被写体画像に対する落書画像などの編集画像を入力する入力手段と、該入力手段により入力された編集画像と前記被写体画像とを合成する画像処理手段と、合成された画像を印刷出力する印刷手段とを備えた写真ンシール印刷装置において、
前記背景機構で仕切られる一方の空間を撮影室、他方を編集室とし、編集室内に前記編集用表示手段と入力手段とが配置されていることを特徴とする写真シール印刷装置。
【請求項２】
前記背景機構は、撮影室内での撮影終了時に、撮影室から編集室への被写体の移動が可能な状態に背景画像が退出制御され、撮影室への新たな被写体の入場時に撮影室と編集室との往来が不可能な状態に背景画像が進出制御されるものであることを特徴とする請求項１に記載の写真シール印刷装置。
【請求項３】
前記撮影室内での撮影終了時に、撮影室から編集室への移動を案内する案内メッセージを被写体に通知する手段を備えることを特徴とする請求項２に記載の写真シール印刷装置。
【発明の詳細な説明】
【技術分野】
【０００１】
本発明は、人物等の被写体の画像と各種スタンプや落書きなどの画像との合成画像をシール等の出力媒体に印刷して出力する写真シール印刷装置に関するものである。
【背景技術】
【０００２】
従来、下記の特許文献１に示されるように、筐体部側面または筐体撮影部背面に落書き用タッチパネル式ディスプレイを設け、複数の操作者がタッチペンによって任意の落書画像を入力可能にした写真シール印刷装置が知られている。
また、下記の特許文献２に示されるように、装置の運転効率を向上させるために、撮影を終えた利用者に対しては撮影空間と隔離された編集空間に移動させて落書などの編集操作を行わせるようにしたものがある。
【特許文献１】特開２００２−２０９１６５号公報
【特許文献２】特開２００２−２１６２３９号公報
【発明の開示】
【発明が解決しようとする課題】
【０００３】
前記特許文献１，２に開示された従来技術にあっては、利用者に落書などの画像を入力させるには、一旦、撮影室から退室させた後、筐体部側面または筐体撮影部背面に設けた編集空間に移動させる必要があるため、撮影・編集が終了したかのような違和感を利用者に与えてしまうという問題がある。
また、落書きなどを行う表示装置と入力装置の配置場所が筐体側面または筐体背面に設置されているため、落書き操作を行っている操作者が筐体外部に突出する状態になり、装置の設置空間を余計に確保しなければならないといった問題点がある。
本発明の目的は、利用者に違和感を抱かせることなく、かつ装置の設置空間を増加させることなく、落書などの操作を容易に行うことができる写真シール印刷装置を提供することにある。
【課題を解決するための手段】
【０００４】
上記目的を達成するために、本発明は、被写体を撮影する撮影手段と、被写体の背面に配置され、被写体に対して背景画像を進退自在に提供する背景機構と、撮影した被写体画像を表示する編集用表示手段と、表示された被写体画像に対する落書画像などの編集画像を入力する入力手段と、該入力手段により入力された編集画像と前記被写体画像とを合成する画像処理手段と、合成された画像を印刷出力する印刷手段とを備えた写真ンシール印刷装置において、前記背景機構で仕切られる一方の空間を撮影室、他方を編集室とし、編集室内に前記編集用表示手段と入力手段とが配置されていることを特徴とする。
前記背景機構は、撮影室内での撮影終了時に、撮影室から編集室への被写体の移動が可能な状態に背景画像が退出制御され、撮影室への新たな被写体の入場時に撮影室と編集室との往来が不可能な状態に背景画像が進出制御されるものであることを特徴とする。
前記撮影室内での撮影終了時に、撮影室から編集室への移動を案内する案内メッセージを被写体に通知する手段を備えることを特徴とする。
【発明の効果】
【０００５】
本発明によれば、撮影を終了したならば、撮影室から外部に出るといった違和感を利用者に抱かせることなく、落書などの編集操作を行わせることができる。
また、編集操作を行っている利用者が筐体外部に突出しないため、装置の設置空間を増加させなくて済む。
【発明を実施するための最良の形態】
【０００６】
以下、本発明に係る写真シール印刷装置の実施の形態を図面を参照して具体的に説明する。
以下、本発明を実施する場合の一形態を図面を参照して具体的に説明する。
図１は、本発明に係る写真シール印刷装置の実施の形態を示すブロック図である。
本実施形態で示す写真シール印刷装置は、図１に示すように、大別すると、撮影室内の被写体画像を撮影するカメラ１と、カメラ１が撮影している被写体の動画像を表示する撮影用モニタ２と、被写体に対して所定の明るさの照明を与える照明装置３と、被写体に対して所望の背景画像を与える背景機構４と、カメラ１で撮影した被写体画像を表示し、その表示された被写体画像に対し所望の落書き画像などをタッチペン操作で入力するための編集用モニタ５と、落書き画像などの編集画像を入力するための複数のタッチペン６ａ，６ｂと、被写体画像に対し落書きなどが合成された合成画像を写真シールとして印刷出力するプリンタ７と、被写体である利用者に各種の案内メッセージを音声で通知するスピーカ８と、装置全体を制御する制御装置９によって構成されている。
これらの各部は図２（ａ）の筐体内部側面図に示すように、筐体２０の内部において背景機構４で仕切られた撮影室２１に設置される。図２（ａ）において、２２は装置本体であり、カメラ１は装置本体２２のほぼ中央位置に取り付けられている。
２８は、背景機構４によって仕切られたは編集室であり、この編集室２８内に編集用モニタ５とプリンタ７とが台２３に収容されて設置されている。また、編集室２８に利用者が入室したことを検出するセンサ１０が設けられている。
【０００７】
図３は、装置本体２２の斜視図であり、照明装置３は撮影室２１内の被写体２４に対して正面左右から所定の明るさの照明光を与えるように設置され、また撮影用モニタ２はカメラ１に隣接して設置され、カメラ１に向かって任意の撮影ポーズをとった場合の被写体画像を被写体２４の位置から確認可能なようになっている。
被写体２４の左右および斜め上方に設置される照明装置３は、それぞれ、面光源３１とストロボ３２を内蔵し、撮影ポーズを確認する場合に面光源３１によって所定の明るさの照明光を被写体２４の方向に照射している。撮影ポーズの確認が終わり、被写体２４の静止画を撮影するタイミングになったならば、ストロボ３２が発光し、被写体２４に対して面光源３１からの照明光に加えストロボ光を被写体２４に照射するようになっている。
背景機構４は、被写体２４の背景となる画像を与えるものであり、被写体２４が撮影用モニタ２での案内メッセージに従って予め用意された複数の背景画像のうち任意の背景画像を付属のタッチペン２ａによって選択可能なように構成されている。なお、案内メッセージは撮影用モニタ２に表示する以外にスピーカ８からの音声等であってもよく、背景画像の選択手段はタッチペン２ａ以外のボタンまたは案内用のモニタでのタッチペン操作等で行うように構成することができる。
【０００８】
本実施例で示す背景機構４は、複数枚のカーテンに各種の背景画像を印刷した電動式カーテンで構成され、撮影室２１に入室した利用者が例えば「夕焼け」の背景画像を選択した場合には、「夕焼け」の風景を印刷したカーテンが被写体２４の背景になるように電動制御によって位置付けられる。背景機構４は、撮影室２１に利用者がいない状態、および利用者が入室して撮影が終了するまでの間は編集室２８との間を仕切るように位置付けられている。
また、撮影が終了した場合には、背景機構４の各種背景画像を印刷したカーテンの全てが後述の図７（ａ）に示すように、撮影室２１と編集室２２の境界上で上方に巻き上げられて撮影空間から退出され、撮影室２１から編集室２８への移動が可能な状態に制御される。
そして、撮影を終えた利用者が編集室２８に移動した場合、何れかの背景画像のカーテンが降下され、撮影室２１と編集室２８とが仕切られる。なお、新たな利用者が撮影室２１に入場していない場合には、入場するまで撮影室２１と編集室２８とを仕切らずに、往来可能な状態にし、再度の撮影を行うことも可能になっている。
なお、背景機構４としては、電動式のカーテン構造に限定されるものではなく、電動式の扉機構であってもよい。また、背景機構４が撮影室２１と編集室２８を仕切った後には、編集室２８での編集が終了するまで撮影室２１と編集室２８との仕切りが開かないように背景機構４の動作を制御するような構成としてもよい。
【０００９】
制御装置９は、メモリ９２に格納されたプログラムによって装置全体を制御するＣＰＵ９１と、カメラ１で撮影された画像（動画像、静止画）を入力する画像入力部９３と、撮影用モニタ２に被写体２４の動画像を表示させるための画像出力部９４と、スピーカ８に各種の案内メッセージの音声信号を出力する音声出力部９５と、落書きに使用する各種のスタンプ画像、各種の案内メッセージ（音声及び文字情報）などを記憶しているパターンメモリ９６と、被写体画像と落書き画像との合成画像をＣＰＵ１と共同して作成する画像処理部９７と、正規の利用料金が投入されたことを検出するコイン制御部９８と、照明制御部９９と、背景機構制御部１００と、被写体の静止画を撮影する時のシャッタタイミングを与えるタイマ１０１と、被写体２４が撮影室２１内に入室した状態かどうかを検知するセンサ１０２と、編集室２８内の編集用モニタ５に被写体画像を編集用画像として表示させる画像出力部１０３と、プリンタ制御部１０４とで構成されている。
【００１０】
図４は、以上のように構成された写真シール印刷装置の動作の概要を示すフローチャートである。
まず、利用者である被写体２４が撮影室２１内に入室したことをセンサ１０２によって検出したならば、ＣＰＵ９１は利用の仕方、利用料金などの案内メッセージをスピーカ８から音声により出力すると共に、撮影用モニタ２に初期画面を表示させる（ステップ４０１，４０２）。
これに対して、正規の利用料金が投入されたことをコイン制御部９８が検出したならば、撮影用モニタ２にフレームの種類（ワイド、アップ、スリム）を表示し、タッチペン２ａを用いて何れかのフレームの種類を被写体２４に選択させる（ステップ４０３，４０４）。例えば、複数の被写体が漏れなく写るワイドを選択させる。
次に、撮影用モニタ２に背景画像の種類を表示し、タッチペン２ａを用いて何れかの背景画像を選択させる（ステップ４０５）。例えば、夕焼け風景の背景画像を選択させる。
ＣＰＵ９１は、選択されたフレームの種類に応じてカメラ１のズーム倍率を制御し、また選択された背景画像が被写体２４の背景になるように背景機構４を電動制御する。
この後、カメラ１で撮影している被写体２４について背景画像を含む動画像を撮影用モニタ２に表示する（ステップ４０６）。
被写体２４は、撮影用モニタ２に映し出されている自身の映像を見ながら撮影ポーズを決める。背景画像の選択後、所定時間経過すると、タイマ１０１で定められた時間間隔で被写体２４の撮影が開始される（ステップ４０７）。ＣＰＵ９１は、被写体の静止画が撮影される毎に、その静止画をメモリ９２に記憶させる（ステップ４０８）。そして、予め決められたＮ枚の撮影が終了したならば（ステップ４０９）、背景機構４の全ての背景画像のカーテンと巻き上げ、撮影室２１から編集室２８への移動が可能な状態にし、スピーカ８から「編集室へ移動してください」という案内メッセージを発生させる（ステップ４１０）。なお、案内メッセージはスピーカ８からの音声以外に、撮影用モニタ２に表示する等の方法で発生させてもよい。
そこで、撮影を終えた被写体が編集室２８へ移動し、このことを編集室２８に設置されたセンサ１０が検出したならば（ステップ４１１）、ステップ４０７で撮影したＮ枚の撮影画像のサムネイルを編集用モニタ５に表示させる（ステップ４１２）。
【００１１】
被写体２４である利用者は、表示されたサムネイルの中から所望のショットの複数枚の撮影画像を選択する（ステップ４１３）。
選択操作が終わったならば、ＣＰＵ９１は、被写体２４が選択した複数ショットの撮影画像に対し、色変更、落書きなどの編集操作（レタッチ）をタッチペン６ａ，６ｂで行わせる（ステップ４１４）。
編集操作が終了したならば、落書きなどの編集画像とメモリ９２に記憶させておいた撮影画像とを合成する。そして、プリント形式、例えば１枚のシートに撮影画像をどのような形式で印刷するかを選択させる（ステップ４１５）。
印刷形式が指定されたならば、プリンタ７から落書き画像４２０が合成された被写体画像の写真シール４２１を印刷出力させる（ステップ４１６）。
以上が、図１の構成に係る写真シール印刷装置の動作の概要である。
【００１２】
図２（ｂ）は編集用モニタ５で落書き画像を入力する様子を筐体上方から見た場合の平面図である。
本実施形態においては、編集用モニタ５が２つのタッチパネル付きディスプレイ５ａ，５ｂで構成され、それぞれのディスプレイ５ａ，５ｂの画面がほぼ水平になるように設置されている。
なお、図２（ｂ）において、２５，２６は、筐体側面に設けられた撮影室２１への入口であり、２７は編集室２８からの出口である。なお、次の図６（ａ）に示すように、出口は筐体側面の両側または片側に設けてもよく、ディスプレイ５ａ，５ｂは筐体背面（撮影室２１と反対側）に接触させて配置してもよい。
ディスプレイ５ａ，５ｂには、落書きを行う場合に、図５に示すような編集画面が表示される。すなわち、図２（ｂ）に示すように複数の利用者が互いに対峙した状態でタッチペン６ａ，６ｂを用いて落書きなどの編集を行えるような編集画面５０ａ，５０ｂが表示される。
図５において、５１は図４のステップ４１０で表示された複数ショットの被写体画像のサムネイルであり、５２はサムネイル５１の中から選択した１つのショットの落書き対象画像（被写体画像）である。５３は落書きに使用するスタンプ画像である。なお、色変更や落書きを行うために、スタンプ画像以外に、パレットなどが設けられている。
このように、複数の利用者が対峙した状態で落書きなどの編集操作を行えるように編集用モニタ５を２つのディスプレイ５ａ，５ｂで構成することにより、タッチペン６ａ，６ｂを使用する際に、利用者同士の手や腕、体が接触することはなくなり、落書きなどの編集操作を容易に行うことが可能になる。
【００１３】
この場合、図６（ａ）の他の実施形態に示すように、編集用モニタ５をワイド型のタッチパネル付きディスプレイ５ｃで構成し、図６（ｂ）に示すように、１つの画面内に２つの落書き対象画像５２を並べて表示し、タッチペン６ａ，６ｂにより落書きなどの編集操作が行えるように構成することもできる。
また、図６においては、編集室２８からの出口２７が２箇所設けられている。
なお、ワイド型のタッチパネル付きディスプレイ５ｃは横の長さが４５ｃｍ以上の１８インチワイド画面であることが望ましい。
また、ディスプレイ５ｃの配置角度は、ほぼ水平に配置したり、垂直または垂直に近い勾配で傾斜して配置する等、任意の角度で配置してよい。
さらに、図示しないが、図５の実施形態と折衷させて、ディスプレイ５ｃの１つの画面内に２つの落書き対象画像５２を対峙して表示し、タッチペン６ａ，６ｂにより利用者が対峙して編集操作が行えるように構成してもよい。
図７は、利用者である被写体２４が撮影室２１へ入室した後、編集室２８へ移動し、さらに編集室２８から筐体外部へ移動する様子を示した図であり、撮影室２１において撮影を終えたならば、図７（ａ）に示すように、背景機構４の全てのカーテンが上方に巻き上げられ、撮影室２１から編集室２８への移動が可能な状態に制御される。
そして、撮影室２１と編集室２８との境界がなくなった状態において、被写体２４は撮影室２１から編集室２８へ移動し、落書などの編集操作を編集用モニタ５の画面上で行う。そして、編集操作が終わり、印刷シールをプリンタ出口から受取ったならば、出口２７から退室する。
図８は、ワイド型のディスプレイを用いた場合の被写体の移動の様子を示すものである。
【００１４】
なお、図９の他の実施形態に示すように、編集室２８を第１編集室２８ａと第２編集室２８ｂに仕切り板９１によって仕切り、かつ背景機構４と編集室２８ａ，２８ｂとの間に電動で上下動可能な仕切りカーテン４Ａ，４Ｂを設け、２つの編集室２８ａ，２８ｂのうち先に印刷工程まで終えた編集室に次の利用者を誘導するように構成すれば、編集操作に手間取っている利用者がいた場合でも、空いた編集室の一方に次の利用者を誘導し、編集操作を行わせることができ、運転効率がさらに向上する。
図９の例では、編集室２８ａが空き状態になっていた場合、撮影室２１で撮影を終えた被写体２４は背景機構４と第１の仕切りカーテン４Ａが開かれ、編集室２８ａに誘導される。被写体２４が編集室２８ａに入室したことが編集室２８ａに設置されたセンサ（図示せず）によって確認されたならば、背景機構４と第１の仕切りカーテン４Ａは降下され、撮影室２１と編集室２８ａは仕切られる。
編集室２８ａ，２８ｂの両方が空き状態になっていた場合には、何れか一方の編集室または両方の編集室との間の仕切りカーテン４Ａ，４Ｂが上方に巻き上げられる。仕切りカーテン４Ａ，４Ｂの両方が巻き上げられた場合、利用者は好みの編集室に移動する。そして、何れかの編集室への移動が各編集室のセンサによって確認できたならば、撮影室２１への移動が不可能な状態に仕切られる。なお、撮影室２１に次の利用者が入室するまでの間は、撮影室２１との間を往来可能に制御してもよい。
なお、上記の各実施形態において、プリンタは筐体外部の編集室に近い位置に設置するように構成することができる。
【図面の簡単な説明】
【００１５】
【図１】本発明に係る写真シール印刷装置の実施の形態を示すブロック図である。
【図２】本発明に係る写真シール印刷装置の匡体内の構成を示す側面図および平面図である。
【図３】制御装置の概略構成を示す斜視図である。
【図４】本発明に係る写真シール印刷装置の動作の概要を示すフローチャートである。
【図５】落書き等を行う編集用モニタの編集画面の表示例を示す図である。
【図６】落書き等を行う編集用モニタの他の例および編集画面の他の表示例を示す図である。
【図７】利用者が撮影室および編集室へ移動する様子を示す図である。
【図８】利用者が撮影室および編集室へ移動する様子の他の例を示す図である。
【図９】編集室を仕切り板でさらに区切った例を示す図である。
【符号の説明】
【００１６】
１    カメラ
２    撮影用モニタ
３    照明装置
４    背景機構
５    編集用モニタ
６ａ，６ｂ    タッチペン
７    プリンタ
９      制御装置
２１    撮影室
２４    被写体
２８    編集室
５２    落書き対象画像
９１    仕切り板
４２０  落書き画像
【図１】
2005121844.tif 000003
【図２】
2005121844.tif 000004
【図３】
2005121844.tif 000005
【図４】
2005121844.tif 000006
【図５】
2005121844.tif 000007
【図６】
2005121844.tif 000008
【図７】
2005121844.tif 000009
【図８】
2005121844.tif 000010
【図９】
2005121844.tif 000011